(57)【要約】【課題】  冷蔵庫の庫内の下段を縦仕切りにより左右に二分し、さらに左右のどちらかを横仕切りにより二分するような場合には、冷蔵庫の奥側に設けられた冷却器関連の部品等の点検、補修を行う際に、下段の扉、縦仕切り及び横仕切りを取外さねばならず大変面倒である。【解決手段】  庫内の奥側に冷却関連の機器及び部品を収納し、また、庫内を縦仕切り１２により左右に分割し、分割した庫内をさらに横仕切り１３により上下に分割し複数の貯蔵室８、９、１０を形成する冷蔵庫１であって、横仕切り１３の庫内への取付けは、横仕切り１３の本体側を本体に固定し、また、横仕切り１３の縦仕切り側を縦仕切り１２に着脱可能に固定した横仕切り取付部品を介して縦仕切り１２に固定することにより行った。【選択図】図６
2006138541.tif 000002
【特許請求の範囲】
【請求項１】
庫内の奥側に冷却関連の機器及び部品を収納し、また、庫内を縦仕切りにより左右に分割し、前記分割した庫内をさらに横仕切りにより上下に分割することにより形成した複数の貯蔵室を備えた冷蔵庫において、
前記横仕切りの庫内への取付けは、前記横仕切りの本体側を本体に固定し、また、前記横仕切りの前記縦仕切り側を、前記縦仕切りに着脱可能に取付けた横仕切り取付部品を介して前記縦仕切りに固定することにより行ったことを特徴とする冷蔵庫。
【請求項２】
前記横仕切りにより形成した貯蔵室の扉を、前記横仕切りにヒンジを介して取付けたことを特徴とする請求項１に記載の冷蔵庫。
【請求項３】
前記縦仕切りは、前記左右に分割する庫内の上壁及び下壁にそれぞれ設けた上部レール及び下部レールにガイドされ垂直状態で挿入、抜き取り可能としたことを特徴とする請求項１又は請求項２に記載の冷蔵庫。
【請求項４】
前記上部レール及び前記下部レールと前記縦仕切りの上部及び下部とは、凹凸の嵌め合せにより結合したことを特徴とする請求項３に記載の冷蔵庫。
【請求項５】
庫内の奥側に冷却関連の機器及び部品を収納し、また、庫内を縦仕切りにより左右に分割し、前記分割した庫内をさらに横仕切りにより上下に分割することにより形成した複数の貯蔵室を備えた冷蔵庫の庫内点検方法において、
前記横仕切りの前記縦仕切り側を前記縦仕切りから外し、
次いで、前記横仕切りの本体側を本体に固定したまま、前記横仕切りを庫内に保持し、前記縦仕切りを庫内から取り出すことを特徴とする庫内点検方法。
【発明の詳細な説明】
【技術分野】
【０００１】
本発明は、冷蔵庫及び庫内点検方法に関し、特に、冷蔵庫の庫内に複数の貯蔵室を形成する縦仕切り及び横仕切りの構造の改良、組立構造の改良に関するものである。
【背景技術】
【０００２】
従来の縦仕切り及び横仕切りにより庫内に複数の貯蔵室を形成した冷蔵庫としては、庫内の上段に冷蔵室を設け、下段に縦仕切りにより右側に冷凍室、左側に野菜室を設け、さらに冷凍室の上部を横仕切りで仕切り製氷室を設けた例がある（例えば、特許文献１参照）。
【０００３】
また、縦仕切り及び横仕切りにより庫内に複数の貯蔵室を形成した冷蔵庫で、縦仕切りのシール性を改良したとするものがある（例えば、特許文献２参照）。
【０００４】
【特許文献１】特開２００３−５６９７７号公報（第２頁〜第３頁、図４）
【特許文献２】特開２００３−３０７３８２号公報（第３頁〜第４頁、図１、図４）
【発明の開示】
【発明が解決しようとする課題】
【０００５】
しかしながら、従来の冷蔵庫においては、縦仕切り及び横仕切りの組立構造は満足いくものではなく、特に上記の冷蔵庫のように、庫内の下段を縦仕切りにより左右に二分し、さらに左右のどちらかを横仕切りにより二分するような場合には、冷蔵庫の奥側に設けられた冷却器関連の機器、部品等の点検、補修を行う際に、下段の扉、縦仕切り及び横仕切りを取外さねばならず大変面倒であるという問題があった。
【０００６】
本発明は、上記のような課題を解決するためになされたもので、庫内に複数の貯蔵室を形成する縦仕切り及び横仕切りの組立構造を改良し、冷却器関連の機器、部品等の点検、補修を容易に行うことのできる冷蔵庫を得ることを目的とする。
また、シール性の良い仕切り構造を持つ冷蔵庫を得ることを目的とする。
また、冷蔵庫の庫内点検が容易な庫内点検方法を得ることを目的とする。
【課題を解決するための手段】
【０００７】
本発明に係る冷蔵庫は、庫内の奥側に冷却関連の機器及び部品を収納し、また、庫内を縦仕切りにより左右に分割し、分割した庫内をさらに横仕切りにより上下に分割し複数の貯蔵室を形成する冷蔵庫であって、横仕切りの庫内への取り付けは、横仕切りの本体側を本体に固定し、また、横仕切りの縦仕切り側を、縦仕切りに着脱可能に取り付けた横仕切り取付部品を介して縦仕切りに固定することにより行ったものである。
【発明の効果】
【０００８】
本発明の冷蔵庫においては、横仕切りの庫内への取り付けは、横仕切りの本体側を本体に固定し、また、横仕切りの縦仕切り側を、縦仕切りに着脱可能に取り付けた横仕切り取付部品を介して縦仕切りに固定することで行うので、庫内の奥側の冷却関連の機器及び部品の点検、補修の際、横仕切りの縦仕切り側の横仕切り取付部品への固定を外し、横仕切り取付部品を取外し、縦仕切りを庫内から取出すことにより、横仕切りを庫内から取出さずに庫内を開放でき、点検、修理が可能となり、また、点検、修理終了後は、縦仕切りを庫内に取り付け、横仕切り取付部を取り付け、横仕切りの縦仕切り側を固定するだけですむので、点検、修理が容易にできる。
また、横仕切りの本体側は本体に固定したままであるので、例えば、扉などをヒンジにより横仕切りに取り付けても扉を外す等の面倒がない。
【発明を実施するための最良の形態】
【０００９】
実施の形態１．
図１は、実施の形態１の冷蔵庫の扉を開いた正面から見た全体を示す斜視図であり、図２は、同じく、冷蔵庫の下段の内部を示す要部斜視図であり、図３は、同じく冷蔵庫の縦仕切りを示す部分斜視図であり、図４は、同じく冷蔵庫の横仕切りを示す部分斜視図であり、図５は、同じく冷蔵庫の横仕切りを固定する横仕切り取付部を示す部分斜視図であり、図６は、同じく冷蔵庫の縦仕切りに横仕切り取付部を取り付けることを説明する説明図であり、図７は、同じく、冷蔵庫の横仕切り取付部の爪部を示す部分斜視図であり、図８は、同じく、冷蔵庫の縦仕切り取付の上部レールを示す要部斜視図であり、図９は、同じく冷蔵庫の縦仕切り取付の下部レールを示す要部斜視図である。
図１、図２に示すように、本冷蔵庫１は、中央の横仕切り１１で庫内を上下に二分し、上部に冷蔵室７を設ける。また、庫内の下段は、縦仕切り１２より左右に二分し、右側に野菜室１０を設け、左側は更に横仕切り１３により二分し、上部に製氷室８、下部に冷凍室９を設けている。各貯蔵室はそれぞれヒンジ２５〜３１により側部に取り付けられた扉２〜６で開閉される。また、製氷室８、冷凍室９及び野菜室１０には、それぞれケース２２、２０及び２１が取り付けられている。
そして、図２に示すように、庫内の下段の奥側には、ファングリル３３等の冷却関連の機器、部品が収納されている。
【００１０】
図２、図３に示すように縦仕切り１２には、板状体の両面に、各ケース２０〜２２を冷蔵庫本体内面のレール２４と共に支え、前後にスライド出し入れするためのレール２３が備えられ、庫内に取り付けたとき前面側となる前端部には仕切り前板金１２ａが備えられている。また、仕切り前板金１２ａの上下端部には縦仕切り１２の固定用の取付ネジ穴１２ｂが形成されている。
縦仕切り１２の冷凍室９側の面には、上部の製氷室８を仕切る横仕切り１３を取り付ける横仕切り取付部品である横仕切り取付部１４が取り付けられる。そのために、後述する横仕切り取付部１４を収容する凹部１５及び爪受穴１５ａが形成されている。
【００１１】
横仕切り１３は、全体的に板状体であるが、内部に断熱材入りのボックス形状になっている。また、前面部の両端には固定用のネジ穴１３ａを有している。
横仕切り１３は、上部の製氷室、下部の冷凍室を仕切るが、両貯蔵室のそれぞれの扉の間には空気が存在し、横仕切り１３に着露し易いが、横仕切り１３に断熱材が入っているため、この着露が防止できる。
【００１２】
横仕切り取付部１４は、図５、図７に示すように、全体的に外観が直方体形状である。この横仕切り取付部１４には、縦仕切り１２の凹部１５に取り付けられたとき縦仕切り１２側となる前面側に切欠き部が形成され、この切欠き部に２個の取付用の爪１４ａが前面側に向かって形成され、奥側のやや突出した凹部には縦仕切り１２に固定するネジ穴１４ｂが形成される。また、前面端部には横仕切り１３を固定する取付ネジボス１４ｃが形成されている。
【００１３】
図６により縦仕切り１２に横仕切り取付部１４の取り付けを説明する。
縦仕切り１２の冷凍室９側の面に形成された横仕切り取付部１４を収容する凹部１５は、横仕切り取付部１４に対してわずかなクリアランスを持つほぼ同形状の凹部であり、横仕切り取付部１４はこの凹部に収容されることにより、取付の位置決めがなされる。
凹部１５には、収容した横仕切り取付部１４のネジ穴１４ｂに対応するネジボス１５ｂ及び２個の取付用の爪１４ａに対応する２個の爪受穴１５ａが形成されている。
横仕切り取付部１４は、取付用の爪１４ａを爪受穴１５ａに奥側から前面側に向かって差込み、縦仕切り１２の凹部１５に収められ、ネジ１６をネジ穴１４ｂからネジボス１５ｂにねじ込むことにより縦仕切り１２の凹部１５に固定される。
【００１４】
次に、横仕切り取付部１４を取り付けた縦仕切り１２を冷蔵庫１の庫内に取り付けることを説明する。
中央の横仕切り１１のほぼ中央部には、前後方向に断面凸形状（中抜きの凸形状）の上部レール１７が形成され、また、上部レール１７に対応して、本体側の底板に前後方向に断面凹形状の下部レール１９が形成されている。
縦仕切り１２は、上部で上部レール１７の側面を挟みまた下部を下部レール１９の凹部に嵌め込み、即ち、縦仕切りの上部及び下部は、それぞれ上部レール１７及び下部レール１９と凹凸の嵌め合せにより結合し、これらのレール１７、１９にガイドされて垂直に前面から押し込まれ、庫内に取り付けられる。そして、上部及び下部ともに端部の取り付けネジ穴１２ｂからそれぞれネジ１２ｃを、上部は中央の横仕切り１１前面の取り付けネジボス１８に、また、下部は本体側の取り付けネジボス１８に、ネジ込み、縦仕切り１２は庫内に固定される。
【００１５】
このように縦仕切り１２は、上部レール１７及び下部レール１９により庫内へ押し込み、庫内から取外し、即ち垂直に抜き差し可能である。また、適宜シール材を設けてもよい。
縦仕切り１２は、垂直に抜き差しするので、取付ネジ穴１２ｂとネジボス１８との一致が容易であり確実な固定が可能であり、また、シール材の影響を受け難く確実なシールが可能である。さらに、凹凸の嵌め合せにより抜き差しするので、よりシールは確実である。
【００１６】
その後、横仕切り１３を、庫内に挿入、取り付けるが、横仕切り取付部１４を取り付けた縦仕切り１２の面及び冷蔵庫本体の冷凍室９側の内壁に垂直に挿入し、庫内に取り付ける。
この際、横仕切り１３の一方の端部（図４の右側の端部であり、縦仕切り側）を縦仕切り１２に取り付けられた横仕切り取付部１４に取り付ける。横仕切り１３の、図４の右側の端部は横仕切り取付部１４の冷凍室側が納まる前後方向の凹部形状を有しており、この凹部形状により横仕切り１３を横仕切り取付部１４の冷凍室側にはめ込み、ネジをネジ穴１３ａから横仕切り部１４の取付ネジボス１４ｃにネジ込み止める。
横仕切り１３の他方の端部（図４の左側の端部であり、冷蔵庫の本体側）は、冷蔵庫本体の内壁に埋め込まれたアンカーナットにネジを同じくネジ穴１３ａからネジ込み止める。
このようにして、横仕切り１３が固定される。
【００１７】
ここで、冷蔵庫１の庫内の奥側にファングリル３３等の冷却関連の機器、部品が収納され、中央の横仕切り１１により上部に冷蔵室７を形成された後に、下部に製氷室８、冷凍室９及び野菜室１０を形成する縦仕切り１２及び横仕切り１３を組立てる組立手順をまとめると次の通りである。
１）縦仕切り１２に横仕切り取付部品１４を爪１４ａを爪受穴１５ａに差込み、ネジ止めにより取り付ける。
２）取付部品１４付きの縦仕切り１２を上部の中央の横仕切り１１、即ち、上壁に設けた上部レール１７及び下部の底板、即ち、下壁に設けた下部レール１９にガイドさせ、前面側から垂直に押し込み、上部及び下部をネジ止めし、固定する。右側の野菜室が形成される。
３）横仕切り１３の一方の端部（図４の右側の端部であり、縦仕切り側）を縦仕切り１２に取り付けた横仕切り取付部１４にネジ止めし、他方の端部（図４の左側の端部であり、本体側）を冷蔵庫本体の内壁にネジ止めし、横仕切り１３を固定する。縦仕切り１２の左側に、上部に製氷室８、下部に冷凍室９が形成される。
【００１８】
このようにして、製氷室８、冷凍室９及び野菜室１０が形成されるが、これに続いて、ヒンジ２５〜３１により、各扉２〜６が取り付けられる。扉４、５、６は、閉時にマグネットにより仕切り前板金１２ａに密着する。
【００１９】
次に、庫内の奥側のファングリル３３等の冷却関連の機器、部品の点検、補修時の縦仕切り１２及び横仕切り１３の処置方法を説明する。
次の手順で行う。
１）横仕切り１３の右側の端部を横仕切り取付部１４に固定するネジを外す。
２）横仕切り取付部１４を固定するネジ１６を外し、横仕切り取付部１４を庫内の奥方向に押し、取り付け用の爪１４ａを爪受穴１５ａから抜き、横仕切り取付部１４を外す。
２）縦仕切り１２の上部及び下部のネジを外し、上部レール１７及び下部レール１９にガイドさせ、縦仕切り１２を抜き取る。
なお、横仕切り１３は、本体側だけで止められたままとする。そこで、横仕切り１３には、製氷室８の下ヒンジ２９により製氷室８の扉４が取り付けられているが、横仕切り１３を取り付けたままとすることにより、扉４を外す必要がなくなる。
【００２０】
また、点検、補修後は、縦仕切り１２を挿入し、この縦仕切り１２に横仕切り取付部１４を取り付け、横仕切り１３の右側の端部を横仕切り取付部１４に固定する。
このようにして、点検、補修時には、縦仕切り１２を外すだけで、中央の横仕切り１１の下段に点検、補修用の開口部を形成でき、また、点検、補修の終了時には、縦仕切り１２を挿入するだけでよく、即ち、横仕切り１３は庫内から取出す必要がなく、点検、補修を容易に行うことができる。
【００２１】
上記では、縦仕切り１２の左側に横仕切り１３を設けたが、右側でも、両側でもよい。
また、開口部が狭くなるが、縦仕切り１２の左側及び／又は右側に横仕切り１２を複数設けてもよい。
さらに、中央の横仕切り１１の下部に縦仕切り１２、横仕切り１３を設けたが、中央の横仕切り１１なしの庫内に同様に縦仕切り１２、横仕切り１３を設けてもよく、同様の効果が得られる。
【００２２】
本冷蔵庫の貯蔵室形成のために縦仕切り１２及び横仕切り１３の組立において、横仕切り１３の庫内への取り付けは、横仕切り１３の本体側を本体に固定し、また、横仕切り１３の縦仕切り１２側を、縦仕切り１２に着脱可能に取り付けた横仕切り取付部品である横仕切り取付部１４を介して縦仕切り１２に固定することにより行うようにしたので、横仕切り１３を庫内から取出さずに庫内を開放でき、点検、修理が可能となり、また、点検、修理終了後は、縦仕切り１２を庫内に取り付け、横仕切り取付部１４を取り付け、横仕切り１３の縦仕切り側を固定するだけですむので、点検、修理が容易にできる。
また、横仕切り１３の本体側は本体に固定したままであるので、例えば、扉４などをヒンジ２９により横仕切り１３に取り付けても扉４を外す等の面倒がない。
【００２３】
また、本例の縦仕切り１２と横仕切り１３の組立構造によると、横仕切り１３により形成した貯蔵室の扉４を、横仕切り１３にヒンジ２９を介して取り付けるようにすれば、庫内の点検、補修時に、横仕切り１３を外さないので、扉４も外す必要がなく、点検、補修が容易となる。
【００２４】
また、本縦仕切り１２は、左右に分割する庫内の上壁（中央の横仕切り１１）及び下壁（冷蔵庫の底板）にそれぞれ設けた上部レール１７及び下部レール１９にガイドされ垂直状態で挿入、抜き取り可能としたので、取付ネジ穴１２ｂとネジボス１８との一致が容易であり確実な固定が可能であり、また、シール材の影響を受け難く確実なシールが可能である。
【００２５】
また、本縦仕切り１２がガイドされる上部レー１７ル及び下部レール１９と縦仕切り１２の上部及び下部とは、凹凸の嵌め合せにより結合しているので、縦仕切り１２は所定の位置に確実に挿入でき、また、確実なシールも可能である。
【００２６】
また、横仕切り１３の縦仕切り１２側を縦仕切り１２から外し、次いで、横仕切り１３の本体側を本体に固定したまま、横仕切り１３を庫内に保持し、縦仕切り１２を庫内から取り出す庫内の点検方法によれば、横仕切り１３を外さずに、点検用の開口部が形成できるので、点検が容易である。
【図面の簡単な説明】
【００２７】
【図１】本発明の実施の形態１の冷蔵庫の正面から見た全体を示す斜視図である。
【図２】本発明の実施の形態１の冷蔵庫の下段の内部を示す要部斜視図である。
【図３】本発明の実施の形態１の冷蔵庫の縦仕切りを示す部分斜視図である。
【図４】本発明の実施の形態１の冷蔵庫の横仕切りを示す部分斜視図である。
【図５】本発明の実施の形態１の冷蔵庫の横仕切り取付部を示す部分斜視図である。
【図６】本発明の実施の形態１の冷蔵庫の縦仕切りに横仕切り取付部を取り付けることを説明する説明図である。
【図７】本発明の実施の形態１の冷蔵庫の横仕切り取付部の爪部を示す部分斜視図である。
【図８】本発明の実施の形態１の冷蔵庫の縦仕切り取付の上部レールを示す要部斜視図である。
【図９】本発明の実施の形態１の冷蔵庫の縦仕切り取付の下部レールを示す要部斜視図である。
【符号の説明】
【００２８】
１  冷蔵庫、４  扉、８、９、１０  貯蔵室、１１  上壁、１２  縦仕切り、１３  横仕切り、１４  横仕切り取付部品、１７  上部レール、１９  下部レール、２９  ヒンジ。
【図１】
2006138541.tif 000003
【図２】
2006138541.tif 000004
【図３】
2006138541.tif 000005
【図４】
2006138541.tif 000006
【図５】
2006138541.tif 000007
【図６】
2006138541.tif 000008
【図７】
2006138541.tif 000009
【図８】
2006138541.tif 000010
【図９】
2006138541.tif 000011